(57)【要約】【課題】簡便な操作でデータ放送用の情報のモニタ表示を行なう。【解決手段】ディジタル放送受信装置の電源がオン状態となると、設定値メモリ２４に予め記憶された設定値データを読み込む。この設定値データが“１”である、つまり、新たな視聴を開始した際におけるデータ放送用の情報の表示が“ＯＮ”に設定されている場合には、映像デコーダ５からの信号およびデータ放送デコーダ７からの信号をともに表示部１１に出力する。一方、設定値データが“０”である、つまり、視聴開始時における映像情報とデータ放送用の情報の表示が“ＯＦＦ”に設定されている場合には、映像デコーダ５からの信号を表示部１１に出力し、データ放送デコーダ７からの信号は表示部１１に出力しない。【選択図】      図１
2006033633.tif 000002
【特許請求の範囲】
【請求項１】
放送電波を受信選局する受信選局手段と、
この受信選局した放送電波に含まれる映像情報および、この映像情報と独立したデータ放送用の情報のうち、少なくとも映像情報を再生する再生手段と、
前記受信選局手段により新たに受信選局する放送電波に含まれる映像情報を前記再生手段により再生開始した際の、同一チャンネルのデータ放送用の情報の再生の有無を示す情報を記憶する記憶手段と、
前記受信選局手段により新たに放送電波を受信選局した場合に、前記記憶手段に記憶された情報にしたがって、前記新たに受信選局した放送電波に含まれる映像情報とデータ放送用の情報をあわせて前記再生手段により再生させるように制御する制御手段と
を備えたことを特徴とするディジタル放送受信装置。
【請求項２】
放送電波を受信選局する受信選局手段と、
この受信選局した放送電波に含まれる映像情報および、この映像情報と独立したデータ放送用の情報のうち、少なくとも映像情報を再生する再生手段と、
前記再生手段による前記映像情報の再生中に、前記再生手段による、前記映像情報が属するチャンネルのデータ放送用の情報の再生のオンオフを切り替える切り替え手段と、
この切り替え手段により切り替えたオンオフ状態を示す情報を記憶する記憶手段と、
前記受信選局手段により新たに放送電波を受信選局した場合に、前記記憶手段に記憶された情報にしたがって、前記新たに受信選局した放送電波に含まれる映像情報とデータ放送用の情報をともに前記再生手段により再生させるように制御する制御手段と
を備えたことを特徴とするディジタル放送受信装置。
【請求項３】
放送電波を受信選局する受信選局手段と、
この受信選局した放送電波に含まれる映像情報および、この映像情報と独立したデータ放送用の情報のうち、少なくとも映像情報を再生する再生手段と、
前記受信選局手段により新たに放送電波を受信選局した際の時刻を計時する計時手段と、
この計時した時刻が予め定められた時間帯に含まれている場合に、前記新たに受信選局した放送電波に含まれる映像情報とデータ放送用の情報をともに前記再生手段により再生させるように制御する制御手段と
を備えたことを特徴とするディジタル放送受信装置。
【請求項４】
放送電波を受信選局する受信選局手段と、
この受信選局した放送電波に含まれる映像情報および、この映像情報と独立したデータ放送用の情報のうち、少なくとも映像情報を再生する再生手段と、
前記受信選局手段により新たに受信選局する放送電波に含まれる映像情報およびデータ放送用の情報をあわせた情報の、前記再生手段による再生開始時刻を設定する設定手段と、
現在時刻を計時する計時手段と、
この計時した時刻が、前記再生開始時刻から、少なくとも、前記再生手段による、前記データ放送用の情報の再生のためのデコード処理の開始から終了までに要する時間だけ前の時刻となった際に、前記受信選局手段により新たに放送電波を受信選局した上で、この放送電波に含まれるデータ放送用の情報の、前記再生手段によるデコード処理を開始することで、前記計時した時刻が前記再生開始時刻となった際に、前記再生手段によるデコード処理が終了するように制御する制御手段と
を備えたことを特徴とするディジタル放送受信装置。
【請求項５】
放送電波を受信選局する受信選局手段と、
この受信選局した放送電波に含まれる映像情報および、この映像情報と独立したデータ放送用の情報のうち、少なくとも映像情報を表示する再生手段と、
前記受信選局手段により新たに受信選局する放送電波に含まれる映像情報およびデータ放送用の情報をあわせた情報の、前記再生手段による再生開始までの時間を設定する設定手段と、
この設定手段による設定終了時からの経過時間を計時する計時手段と、
この計時した経過時間が、前記設定手段により設定された時間から、少なくとも、前記再生手段による、前記データ放送用の情報の再生のためのデコード処理の開始から終了までに要する時間だけ少ない時間となった際に、前記受信選局手段により新たに放送電波を受信選局した上で、この放送電波に含まれるデータ放送用の情報の、前記再生手段によるデコード処理を開始することで、前記経過時間が前記設定された時間となった際に、前記再生手段によるデコード処理が終了するように制御する制御手段と
を備えたことを特徴とするディジタル放送受信装置。
【発明の詳細な説明】
【技術分野】
【０００１】
本発明は、データ放送用の情報が含まれる放送電波を受信する機能を有するディジタル放送受信装置に関する。
【背景技術】
【０００２】
従来、例えば地上波ディジタル放送や衛星ディジタル放送などのディジタル方式の放送を受信するディジタル放送受信装置が運用されており、このディジタル放送受信装置では、映像情報、音声情報、データ放送用の情報などが多重化された放送電波を受信して、この放送電波に含まれる映像情報、音声情報、およびデータ放送用の情報を再生する機能を有する（例えば特許文献１参照）。
【特許文献１】特開２００４−１０４４１５号公報
【発明の開示】
【発明が解決しようとする課題】
【０００３】
前述したようなディジタル放送受信装置では、前述したデータ放送用の情報を表示させるために、電源投入やチャンネル切り替え操作を行なうことで、新たに受信選局したチャンネルの視聴を開始した際は、このチャンネルの映像情報のみがモニタ表示される。この新たな視聴を開始したチャンネルのデータ放送用の情報のモニタ表示を行なうためには、例えばリモコン上のｄボタンをユーザが操作する必要があり、新たに受信選局したチャンネルの視聴を開始してすぐにデータ放送用の情報をモニタ表示させたい場合に対応できていなかった。
【０００４】
そこで、本発明の目的は、簡便な操作でデータ放送用の情報のモニタ表示を行なうことが可能になるディジタル放送受信装置を提供することにある。
【課題を解決するための手段】
【０００５】
すなわち、本発明に係わるディジタル放送受信装置は、放送電波を受信選局する受信選局手段と、この受信選局した放送電波に含まれる映像情報および、この映像情報と独立したデータ放送用の情報のうち、少なくとも映像情報を再生する再生手段とを備え、新たに受信選局した放送電波に含まれる映像情報を再生開始した際の、同一チャンネルのデータ放送用の情報の再生の有無を示す情報を記憶し、新たに放送電波を受信選局した場合に、記憶手段に記憶された情報にしたがって、新たに受信選局した放送電波に含まれる映像情報とデータ放送用の情報をあわせて再生するように制御することを特徴とする。
【発明の効果】
【０００６】
本発明に係わるディジタル放送受信装置では、新たに受信選局した放送電波に含まれる映像情報を再生開始した際の、同一チャンネルのデータ放送用の情報の再生の有無を示す情報を記憶し、新たに放送電波を受信選局した際に、前述した記憶内容にしたがって、受信選局した放送電波に含まれる映像情報とデータ放送用の情報をともに再生させるように制御するので、ユーザは、新たな受信選局を行なってからさらなる操作を行なうことなく、データ放送用の情報をモニタ表示させることができる。
【発明を実施するための最良の形態】
【０００７】
以下図面により本発明の実施形態について説明する。  
（第１の実施形態）
まず、本発明の第１の実施形態について説明する。  
図１は、本発明の第１の実施形態にしたがったディジタル放送受信装置の構成例を示すブロック図である。  
このディジタル放送受信装置は、装置全体の動作を司る制御部１を備え、また、ＴＶ（テレビ）アンテナ２が受信した、地上波ディジタルテレビ放送や衛星ディジタルテレビ放送などのディジタル放送電波から、予め選択した放送局の電波を選局するチューナ部３、および、この選局された電波を復調して、ＴＶ映像信号、ＴＶ音声信号、データ放送用の信号、および、文字放送用の信号に分離する分離部（デマルチプレクサ部）４を備える。
【０００８】
また、ディジタル放送受信装置は、信号分離部４により分離されたＴＶ映像信号を復号（デコード）して出力する映像デコーダ５、前述のように分離されたＴＶ音声信号を復号して出力する音声デコーダ６、前述のように分離されたデータ放送用の信号を復号して出力するデータ放送デコーダ７、および、前述のように分離された文字放送用の信号を復号して出力する文字放送デコーダ８をさらに備える。
【０００９】
また、ディジタル放送受信装置は、映像デコーダ５などから入力した信号のうち、表示部（モニタ）１１に出力する信号を選択する表示制御部１２を備える。また、音声デコーダ６から入力した信号は、音声出力部（スピーカ）１３に出力される。
【００１０】
ディジタル放送受信装置は、各種キーや操作スイッチからなる入力部２１、各部に電源を供給する電源制御部２２、リモコン３０からの赤外線信号を受信するリモコン受信部２３、および、設定値メモリ２４をさらに備える。表示制御部１２、入力部２１、電源制御部２２、リモコン受信部２３および設定値メモリ２４は制御部１と接続され、入力部２１は、装置本体の電源スイッチを含む。
【００１１】
図２は、本発明の第１の実施形態にしたがったディジタル放送受信装置の操作を行なうためのリモコン３０の外観の一例を示す図である。  
このリモコン３０は、図１に示したリモコン受信部２３との赤外線通信を行なうための発信部３１、ディジタル放送受信装置の電源をオンオフする為の電源キー３２、スティック上のカーソルキー３３、データ放送用の情報の表示のオンオフを設定するための「ｄ」キー（ｄボタン）３４、画面の切り替えを行なう為の「画面切替」キー３５、マトリクス状に並んだ数字キー３６、メニュー画面を表示する為のメニューキー３７、アップ、ダウン２つのキーからなるアップダウンキー３８、および、赤、黄、緑、青で色分けされたカラーキー３９を備える。  
カーソルキー３３は、上下（前後）左右に傾けることにより、４方向のカーソル移動入力となり、スティック自体を押し込むことにより「決定」入力となる。
【００１２】
次に、図１に示した構成のディジタル放送受信装置の動作について説明する。  
このディジタル放送受信装置は、電源投入、または、受信チャンネルの切り替えを行なうことで、番組視聴を新たに開始した際に、その他の操作を行なうことなく、当該視聴を開始したチャンネルの通常の映像情報、および、同一チャンネルのデータ放送用の情報をモニタ表示する機能を有する。データ放送用の情報とは、例えばニュースや天気予報を示す文字情報及び画像情報であり、前述した通常の映像情報と独立した情報である。
【００１３】
まず、ユーザは、ディジタル放送受信装置の電源をオン状態としている際に、リモコン３０の各種キーの所定の操作を経て、データ放送の表示設定、つまり、電源投入やチャンネル切り替え操作にしたがって、新たな視聴を開始した場合におけるデータ放送用の情報の表示の有無にかかる設定用画面Ｇ１（図３参照）を表示部１１に表示させる。
【００１４】
この画面Ｇ１にしたがって、ユーザがリモコン３０のカーソルキー３３の操作を行なって、画面Ｇ１上のカーソルを“ＯＮ”または“ＯＦＦ”に設定したのちにＯＫアイコン４１を選択することで、新たな視聴を開始した際に、このチャンネルの映像情報とデータ放送用の情報をともに表示させるか、映像情報のみを表示させるかを設定することができる。
【００１５】
画面Ｇ１において、カーソルが“ＯＮ”に設定されてＯＫアイコン４１が選択された場合には、制御部１は、現在受信しているチャンネルの視聴が終了したのち、電源の再投入またはチャンネル切り替えの操作を行なうことで新たな視聴を開始した際にモニタ表示させる情報が、当該チャンネルの映像情報とデータ放送用の情報に設定がなされたとみなし、設定値メモリ２４に設定値データ“１”を記憶させる制御を行なう。
【００１６】
また、画面Ｇ１において、カーソルが“ＯＦＦ”に設定されてＯＫアイコン４１が選択された場合には、制御部１は、現在受信しているチャンネルの視聴が終了したのち、新たな視聴を開始した際にモニタ表示させる情報が、このチャンネルの映像情報のみに設定されたとみなし、設定値メモリ２４に設定値データ“０”を記憶させる制御を行なう。
【００１７】
この設定は、ディジタル放送受信装置の電源がオン状態となっている場合にいつでも行なうことができ、設定値メモリ２４に記憶された設定値データは、ディジタル放送受信装置の電源をオフ状態とした場合でも保持される。
【００１８】
図４は、本発明の第１の実施形態にしたがったディジタル放送受信装置による映像情報およびデータ放送用の情報の表示制御処理の一例を示すフローチャートである。  
まず、入力部２１の電源スイッチまたはリモコン３０の電源キー３２の操作によりディジタル放送受信装置の電源がオン状態となる（ステップＳ１）と、制御部１は、設定値メモリ２４に予め記憶された設定値データを読み込む（ステップＳ２）。
【００１９】
ステップＳ２の処理により読み込んだ設定値データが“１”である、つまり、新たな視聴を開始した際のデータ放送用の情報の表示が“ＯＮ”に設定されている場合（ステップＳ３のＹＥＳ）には、制御部１は、表示制御部１２が、映像デコーダ５からの信号およびデータ放送デコーダ７からの信号をともに表示部１１に出力する処理を行なうように制御する（ステップＳ４）。ステップＳ４の処理を行なうことで、表示部１１は、受信チャンネルの映像情報、および、データ放送用の情報をともに表示する。
【００２０】
一方、ステップＳ２の処理により読み込んだ設定値データが“０”である、つまり、新たな視聴を開始する際のデータ放送用の情報の表示が“ＯＦＦ”に設定されている場合（ステップＳ３のＮＯ）には、制御部１は、表示制御部１２が、映像デコーダ５からの信号を表示部１１に出力し、データ放送デコーダ７からの信号を表示部１１に出力しない処理を行なうように制御する（ステップＳ５）。ステップＳ５の処理を行なうことで、表示部１１には、受信チャンネルの映像情報のみが表示される。
【００２１】
この状態で、ユーザがリモコン３０のｄボタン３４を操作すると、受信チャンネルのデータ放送用の情報が、当該受信チャンネルの映像情報とともに表示部１１に表示される。ステップＳ４またはＳ５の処理後に、リモコン３０の各種キーの所定の操作により、受信チャンネルが別のチャンネルに切り替えられた場合（ステップＳ６のＹＥＳ）には、制御部１は、ステップＳ２以降の処理を再度行なう。
【００２２】
また、チャンネルの切り替えがなく（ステップＳ６のＮＯ）、入力部２１の電源スイッチまたはリモコン３０の電源キー３２の操作により、ディジタル放送受信装置の電源がオフ状態となった場合（ステップＳ７）には、ステップＳ１の処理に戻る。
【００２３】
以上説明したように、本発明の第１の実施形態にしたがったディジタル放送受信装置では、電源投入時、またはチャンネル切り替えによる新たに視聴を開始した受信チャンネルの映像情報およびデータ放送用の情報をともにモニタ表示させるための設定を予め行なうことで、実際に電源投入またはチャンネル切り替えを行なった際に、ｄボタン３４の操作を行なうことなく、受信チャンネルの映像情報と、当該受信チャンネルのデータ放送用の情報をともに表示部１１に表示させることができる。よって、ユーザは、所望のチャンネルの視聴を開始するための操作、つまり、電源スイッチ操作またはチャンネル操作を行なうだけで、視聴を開始したチャンネルのデータ放送用の情報を見ることができるようになるので、チャンネルの視聴開始時に即座にデータ放送用の情報を表示させたい場合に有効である。
【００２４】
（第２の実施形態）
次に、本発明の第２の実施形態について説明する。なお、この第２の実施形態にしたがったディジタル放送受信装置の構成は、図１に示したものと基本的にほぼ同様であるので、同一部分の説明は省略する。
【００２５】
図５は、本発明の第２の実施形態にしたがったディジタル放送受信装置の構成例を示すブロック図である。  
本発明の第２の実施形態にしたがったディジタル放送受信装置は、図１に示した設定値メモリ２４に代えて、表示指示履歴メモリ４２を備える。
【００２６】
この第２の実施形態にしたがったディジタル放送受信装置は、番組視聴中にリモコンのｄボタン３４を操作することで、現在受信しているチャンネルのデータ放送用の情報の表示のオンオフを設定した際に、この設定内容を記憶して保持し、電源遮断後の電源再投入、または、受信チャンネルの切り替え操作を行なうことで、放送の新たな視聴を開始した際に、前述した設定内容を参照し、この設定がオンとなっていた場合には、その他の操作を行なうことなく、当該受信したチャンネルの映像情報、および、この受信したチャンネルにかかるデータ放送用の情報をともにモニタ表示する機能を有する。
【００２７】
表示指示履歴メモリ４２には、表示指示履歴データ“１”または“０”が記憶され、この表示指示履歴データの内容は、ディジタル放送受信装置の電源をオフ状態とした場合でも保持される。
【００２８】
表示指示履歴データは、ディジタル放送受信装置の電源がオン状態の場合に、ユーザがリモコン３０のｄボタン３４を操作することで“１”と“０”の間で変化する。つまり、ユーザがリモコン３０のｄボタン３４を操作することでデータ放送用の情報の表示がオンとなった場合には、表示指示履歴メモリ４２に表示指示履歴データ“１”が記憶され、また、ユーザがリモコン３０のｄボタン３４を操作することでデータ放送用の情報の表示がオフとなった場合には、表示指示履歴メモリ４２に表示指示履歴データ“０”が記憶される。
【００２９】
次に、本発明の第２の実施形態にしたがったディジタル放送受信装置の動作について説明する。  
図６は、本発明の第２の実施形態にしたがったディジタル放送受信装置による映像情報およびデータ放送用の情報の表示制御処理の一例を示すフローチャートである。  
まず、入力部２１の電源スイッチまたはリモコン３０の電源キー３２の操作によりディジタル放送受信装置の電源がオン状態となる（ステップＡ１）と、制御部１は、表示指示履歴メモリ４２に記憶された表示指示履歴データを読み込む（ステップＡ２）。
【００３０】
ステップＡ２の処理により読み込んだ表示指示履歴データが“１”である、つまり、前のチャンネル視聴時にデータ放送用の情報の表示がオンに設定されていた場合（ステップＡ３のＹＥＳ）には、制御部１は、表示制御部１２が、映像デコーダ５からの信号およびデータ放送デコーダ７からの信号をともに表示部１１に出力する処理を行なうように制御する（ステップＡ４）。
【００３１】
一方、ステップＡ２の処理により読み込んだ表示指示履歴データが“０”である、つまり、前のチャンネル視聴時にデータ放送用の情報の表示がオフに設定されていた場合（ステップＡ３のＮＯ）には、制御部１は、表示制御部１２が、映像デコーダ５からの信号を表示部１１に出力し、データ放送デコーダ７からの信号を表示部１１に出力しない処理を行なうように制御する（ステップＡ５）。
【００３２】
また、ステップＡ４およびＡ５の処理後、ユーザがリモコン３０のｄボタン３４を操作して、この操作にしたがってリモコン３０から出力された信号を制御部１が入力する（ステップＡ６）と、制御部１は、ステップＡ２の処理と同様に、表示指示履歴メモリ４２に記憶された表示指示履歴データを読み込む（ステップＡ７）。
【００３３】
ステップＡ７の処理により読み込んだ表示指示履歴データが“０”である場合（ステップＡ８のＮＯ）には、ｄボタン３４の操作前においてデータ放送用の情報の表示がオフとなっている事を意味する。よって、制御部１は、データ放送用の情報の表示をオンにするためにユーザがｄボタン３４を操作したとみなし、前述したステップＡ４の処理と同様に、表示制御部１２が、映像デコーダ５からの信号およびデータ放送デコーダ７からの信号をともに表示部１１に出力する処理を行なうように制御する（ステップＡ９）。  
ステップＡ９の処理後、制御部１は、表示指示履歴メモリ４２に記憶される表示指示履歴データを“１”に書き換える（ステップＡ１０）。
【００３４】
一方、ステップＡ７の処理により読み込んだ表示指示履歴データが“１”である場合（ステップＡ８のＹＥＳ）には、ｄボタン３４の操作前においてデータ放送用の情報の表示がオンとなっている事を意味する。よって、制御部１は、データ放送用の情報の表示をオフにするためにユーザがｄボタン３４を操作したとみなし、前述したステップＡ５の処理と同様に、表示制御部１２が、映像デコーダ５からの信号を表示部１１に出力し、データ放送デコーダ７からの信号を表示部１１に出力しない処理を行なうように制御する（ステップＡ１１）。  
ステップＡ１１の処理後、制御部１は、表示指示履歴メモリ４２に記憶される表示指示履歴データを“０”に書き換える（ステップＡ１２）。
【００３５】
ステップＡ１０またはＡ１２の処理後に、入力部２１の電源スイッチまたはリモコン３０の電源キー３２の操作により、ディジタル放送受信装置の電源がオフ状態となった場合（ステップＡ１３のＹＥＳ）には、ステップＡ１の処理に戻る。
【００３６】
また、電源がオフ状態とならず（ステップＡ１３のＮＯ）、リモコン３０の各種キーの所定の操作により、受信チャンネルが別のチャンネルに切り替えられた場合（ステップＡ１４のＹＥＳ）には、ステップＡ２の処理に戻る。また、受信チャンネルが切り替えられない場合（ステップＡ１４のＮＯ）には、ステップＡ６の処理に戻り、ｄボタン３４が操作されるまで待機する。
【００３７】
なお、ステップＡ１４の処理で「ＹＥＳ」と判別された際に、データ放送用の情報の表示がオンとなっていた、つまり、表示指示履歴メモリ４２に記憶された表示指示履歴データが“１”であった場合には、制御部１は、ステップＡ２の処理に戻る前に、ステップＡ１１およびＡ１２の処理を行なうことで、データ放送用の情報の表示を自動的にオフとする処理を行なうようにしてもよい。
【００３８】
以上説明したように、本発明の第２の実施形態にしたがったディジタル放送受信装置では、放送の視聴中におけるｄボタン３４の操作にしたがって、データ放送用の情報の表示のオンオフが切り替えられた場合に、このオンオフの状態に対応した表示指示履歴データを表示指示履歴メモリ４２に記憶しておき、放送の新たな視聴を開始した際に表示指示履歴データを参照して、この表示指示履歴データが“１”である場合には、映像情報およびデータ放送用の情報をともにモニタ表示させる制御を行なう。
【００３９】
ユーザは、ｄボタン３４の操作を行なうことで、データ放送の表示を予めオンにしておけば、次の視聴開始時にｄボタン３４の操作を改めて行なうことなく、受信チャンネルの映像情報と、当該受信チャンネルのデータ放送用の情報をともに表示部１１に表示させることができる。
【００４０】
よって、ユーザは、電源投入またはチャンネル切り替えにかかる操作を行なうだけで、受信したチャンネルのデータ放送用の情報をモニタ表示させることができるので、前述した第１の実施形態と比較して、設定用の画面にしたがった操作が不要であり、次回のチャンネル視聴開始時にすぐにデータ放送の表示を行なうために、現在のチャンネルの視聴時にｄボタン３４の操作によりデータ放送の表示をオンに設定するだけでよいので、機器の操作に慣れていないユーザにとって便利である。
【００４１】
（第３の実施形態）
次に、本発明の第３の実施形態について説明する。なお、第３の実施形態にしたがったディジタル放送受信装置の構成は、図１に示したものと基本的にほぼ同様であるので、同一部分の説明は省略する。
【００４２】
図７は、本発明の第３の実施形態にしたがったディジタル放送受信装置の構成例を示すブロック図である。  
本発明の第３の実施形態にしたがったディジタル放送受信装置は、図１に示した構成と比較して、現在時刻を計時する計時部４３をさらに備え、また、図１に示した設定値メモリ２４に代えて、時間帯メモリ４４を備える。
【００４３】
この第３の実施形態にしたがったディジタル放送受信装置は、電源投入、または、受信チャンネルの切り替えによる、放送の新たな視聴を開始した際の現在時刻が予め定められた時間帯にある場合に、その他の操作を行なうことなく、当該受信したチャンネルの映像情報、および、この受信したチャンネルにかかるデータ放送用の情報をともにモニタ表示する機能を有する。
【００４４】
まず、ユーザは、ディジタル放送受信装置の電源がオン状態にある際に、リモコン３０の各種キーの所定の操作を経て、放送の新たな視聴を開始した際においてデータ放送用の情報の表示を行なう時間帯の設定用画面Ｇ２（図８参照）を表示部１１に表示させる。
【００４５】
この画面Ｇ２にしたがって、ユーザがリモコン３０のカーソルキー３３や数字キー３６などの操作を行なって、時間帯を定義する各時刻を入力したのちにＯＫアイコン４５を選択することで、放送の新たな視聴を開始した際における、受信チャンネルの映像情報とデータ放送用の情報をともに表示させる時間帯を設定することができる。
【００４６】
画面Ｇ２において、ＯＫアイコン４５が選択された場合には、制御部１は、画面Ｇ２で入力された時間帯のデータを時間帯メモリ４４に記憶させる制御を行なう。  
この設定は、ディジタル放送受信装置の電源がオン状態となっている場合にいつでも行なうことができ、時間帯メモリ４４に記憶された時間帯データは、ディジタル放送受信装置の電源をオフ状態とした場合でも保持される。
【００４７】
次に、本発明の第３の実施形態にしたがったディジタル放送受信装置の動作について説明する。  
図９は、本発明の第３の実施形態にしたがったディジタル放送受信装置による映像情報およびデータ放送用の情報の表示制御処理の一例を示すフローチャートである。  
まず、入力部２１の電源スイッチまたはリモコン３０の電源キー３２の操作によりディジタル放送受信装置の電源がオン状態となる（ステップＢ１）と、制御部１は、計時部４３で計時される現在時刻のデータを読み込み（ステップＢ２）、また、時間帯メモリ４４に記憶された時間帯データを読み込む（ステップＢ３）。
【００４８】
制御部１は、ステップＢ２の処理で読み込んだ現在時刻のデータと、ステップＢ３の処理で読み込んだ時間帯データを比較して、現在時刻が時間帯データで定義された時間帯に含まれるか否かを判別する（ステップＢ４）。
【００４９】
ステップＢ４の処理の結果、現在時刻が、時間帯データで定義された時間帯に含まれると判別された場合（ステップＢ４のＹＥＳ）には、制御部１は、表示制御部１２が、映像デコーダ５からの信号およびデータ放送デコーダ７からの信号をともに表示部１１に出力する処理を行なうように制御する（ステップＢ５）。
【００５０】
一方、ステップＢ４の処理の結果、現在時刻が、時間帯データで定義された時間帯に含まれないと判別された場合（ステップＢ４のＮＯ）には、制御部１は、表示制御部１２が、映像デコーダ５からの信号を表示部１１に出力し、データ放送デコーダ７からの信号を表示部１１に出力しない処理を行なうように制御する（ステップＢ６）。
【００５１】
ステップＢ５またはＢ６の処理後に、リモコン３０の各種キーの所定の操作により、受信チャンネルが別のチャンネルに切り替えられた場合（ステップＢ７のＹＥＳ）には、制御部１は、ステップＢ２以降の処理を再度行なう。
【００５２】
また、チャンネルの切り替えがなく（ステップＢ７のＮＯ）、入力部２１の電源スイッチまたはリモコン３０の電源キー３２の操作により、ディジタル放送受信装置の電源がオフ状態となった場合（ステップＢ８）には、ステップＢ１の処理に戻る。
【００５３】
以上説明したように、本発明の第３の実施形態にしたがったディジタル放送受信装置では、電源投入時、またはチャンネル切り替えによる、放送の新たな視聴を開始した際における、受信チャンネルの映像情報およびデータ放送用の情報をともにモニタ表示させる時間帯を予め設定することで、実際の電源の投入またはチャンネル切り替えを行なった際の現在時刻が前述した時間帯に含まれていれば、ｄボタン３４の操作を行なうことなく、受信チャンネルの映像情報と、当該受信チャンネルのデータ放送用の情報をともに表示部１１に表示させることができる。
【００５４】
よって、ユーザが例えば朝のニュースや天気予報だけを即座に見たい場合など、放送の新たな視聴を開始した際にデータ放送用の情報を即座に見たい時間帯が限られており、その他の時間帯では、放送の新たな視聴を開始した際に映像情報のみをモニタ表示させたい場合に有効である。
【００５５】
（第４の実施形態）
次に、本発明の第４の実施形態について説明する。なお、第４の実施形態にしたがったディジタル放送受信装置の構成は、図１に示したものと基本的にほぼ同様であるので、同一部分の説明は省略する。
【００５６】
図１に示したディジタル放送受信装置では、放送電波を新たに受信した際に、ｄボタン３４の操作の有無に関わらず、この放送電波に含まれるＴＶ映像信号およびデータ放送用の信号のデコード処理を映像デコーダ５やデータ放送デコーダ７により行なう。このデコード処理が終了することで、受信チャンネルの映像情報やデータ放送用の情報が表示部１１に表示され、ユーザは、これら受信チャンネルの映像情報やデータ放送用の情報を見ることが可能になる。
【００５７】
しかし、データ放送用の信号のデコード処理開始から終了までは内容に応じて、例えば数秒間の時間を要するので、放送の新たな視聴を開始した際におけるデータ放送用の情報の表示をオンにした場合でも、表示部１１にデータ放送用の情報が実際に表示されるまでには相当の時間を要する。この第４の実施形態にしたがったディジタル放送受信装置は、このような課題を解消する。
【００５８】
図１０は、本発明の第４の実施形態にしたがったディジタル放送受信装置の構成例を示すブロック図である。  
本発明の第４の実施形態にしたがったディジタル放送受信装置は、図１に示した構成と比較して、現在時刻を計時する計時部４３をさらに備え、また、図１に示した設定値メモリ２４に代えて、設定時刻メモリ４６を備える。
【００５９】
このディジタル放送受信装置は、現在時刻が、放送の新たな視聴を開始したい時刻となった場合に、その他の操作を行なうことなく、当該受信したチャンネルの通常の映像情報、および、この受信したチャンネルにかかるデータ放送用の情報、例えばニュースや天気予報を示す文字情報及び画像情報をともにモニタ表示する機能を有する。
【００６０】
まず、ユーザは、ディジタル放送受信装置の電源がオン状態にある際に、リモコン３０の各種キーの所定の操作を経て、新たに視聴する放送の映像情報とデータ放送用の情報をあわせた情報の視聴開始時刻および受信チャンネルの設定用画面Ｇ３（図１１参照）を表示部１１に表示させる。
【００６１】
この画面Ｇ３にしたがって、ユーザがリモコン３０のカーソルキー３３や数字キー３６などの操作を行なって、視聴開始時刻および受信チャンネルを入力したのちにＯＫアイコン４７を選択することで、受信チャンネルの映像情報とデータ放送用の情報をともに表示させる時刻を設定することができる。
【００６２】
画面Ｇ３において、ＯＫアイコン４７が選択された場合には、制御部１は、画面Ｇ３で入力された時刻および受信チャンネルのデータを設定時刻メモリ４６に記憶させる制御を行なう。
【００６３】
この設定は、ディジタル放送受信装置の電源がオン状態となっている場合にいつでも行なうことができ、設定時刻メモリ４６に記憶されたデータは、ディジタル放送受信装置の電源をオフ状態とした場合でも保持される。
【００６４】
次に、本発明の第４の実施形態にしたがったディジタル放送受信装置の動作について説明する。このディジタル放送受信装置では、データ放送デコーダ７によるデータ放送用の信号のデコード処理の開始から終了までに要する時間は、最大３０秒間であるとする。
【００６５】
図１２は、本発明の第４の実施形態にしたがったディジタル放送受信装置による映像情報およびデータ放送用の情報の表示制御処理の一例を示すフローチャートである。  
まず、ディジタル放送受信装置の電源の状態がオン状態であるかオフ状態（待機状態）であるかに関わらず、制御部１は、計時部４３で計時される現在時刻のデータを読み込む（ステップＣ１）。
【００６６】
そして、制御部１は、ステップＣ１の処理で読み込んだ現在時刻のデータと、設定時刻メモリ４６に記憶された時刻データを比較して、現在時刻が指定時刻、つまり設定時刻メモリ４６に記憶された視聴開始時刻の３０秒前となったか否かを判別する（ステップＣ２）。
【００６７】
このステップＣ２の処理では、現在時刻が指定時刻の３０秒前となったか否かを判別しているが、これに限らず、指定時刻よりデータ放送用の信号のデコード処理に要する時間だけ前の時刻であれば、例えば現在時刻が指定時刻より１分前の時刻となったか否かを判別するようにしてもよい。
【００６８】
ステップＣ２の処理の結果、現在時刻が指定時刻の３０秒前となったと判別された場合（ステップＣ２のＹＥＳ）には、制御部１は、設定時刻メモリ４６に記憶されたチャンネルのデータを読み込み、この読み込んだチャンネルの電波を選局するように制御する。これにより、分離部４による処理を介して、映像デコーダ５によるＴＶ映像信号のデコード、音声デコーダ６によるＴＶ音声信号のデコード、および、データ放送デコーダ７によるデータ放送用の信号のデコードが開始される（ステップＣ３）。
【００６９】
ステップＣ２の処理で「ＹＥＳ」と判別された際に、装置の電源がオフ状態である場合には、制御部１は、電源制御部２２により表示部１１および音声出力部１３を除く各機器に電源を供給した上で、設定時刻メモリ４６に記憶されたチャンネルのデータを読み込み、この読み込んだチャンネルの電波を選局する。
【００７０】
また、ステップＣ３の処理を行なって、ＴＶ映像信号、ＴＶ音声信号およびデータ放送用の信号のうち少なくとも一種のデコード処理が終了した場合でも、前述した指定時刻となるまで表示部１１による表示内容、および音声出力部１３による出力内容は変化しない。
【００７１】
つまり、ステップＣ３の処理の開始時に装置の電源がオン状態であった場合には、ステップＣ３の処理の終了時に表示部１１により表示される情報および音声出力部１３により出力される音声情報は、ステップＣ３の処理を行なう以前に受信したチャンネルに属する情報のままである。また、装置の電源がオフ状態にある場合には、ステップＣ３の処理によるデコード処理が終了した場合でも、前述した指定時刻になったと制御部１が判別するまでは、表示部１１および音声出力部１３には電源が供給されない。
【００７２】
ステップＣ３の処理後、制御部１は、ステップＣ１の処理で読み込んだ現在時刻のデータと、設定時刻メモリ４６に記憶された時刻データを比較して、現在時刻が指定時刻となったか否かを判別する（ステップＣ４）。
【００７３】
ステップＣ４の処理の結果、現在時刻が指定時刻となったと判別された場合（ステップＣ４のＹＥＳ）には、制御部１は、表示制御部１２が、映像デコーダ５からの信号およびデータ放送デコーダ７からの信号をともに表示部１１に出力して、かつ、音声デコーダ６からの信号を音声出力部１３に出力する処理を行なうように制御する（ステップＣ５）。
【００７４】
ステップＣ４の処理で「ＹＥＳ」と判別された際に、装置の電源がオフ状態である場合には、制御部１は、電源制御部２２により表示部１１および音声出力部１３に電源を供給した上で、ステップＣ５の処理を行なう。
【００７５】
以上説明したように、本発明の第４の実施形態にしたがったディジタル放送受信装置では、新たに受信選局するチャンネル、およびこの受信選局するチャンネルの映像情報およびデータ放送用の情報の表示を開始する時刻を予め指定した上で、現在時刻が、前述した指定時刻より、データ放送用の信号のデコード処理開始から終了までに要する時間だけ前の時刻となった際に、映像デコーダ５からの信号とデータ放送デコーダ７からの信号のデコード処理を開始し、これらのデコード処理が終了して、かつ、現在時刻が指定時刻となった際に映像情報とデータ放送用の情報をともに表示部１１により出力する制御を行なうので、ｄボタン３４の操作を行なうことなく、指定時刻となった際に、デコード処理による待ち時間を解消した上で、受信チャンネルの映像情報と、当該受信チャンネルのデータ放送用の情報をともに表示部１１に表示させることができる。
【００７６】
（第５の実施形態）
次に、本発明の第５の実施形態について説明する。なお、第５の実施形態にしたがったディジタル放送受信装置の構成は、図１に示したものと基本的にほぼ同様であるので、同一部分の説明は省略する。
【００７７】
図１３は、本発明の第５の実施形態にしたがったディジタル放送受信装置の構成例を示すブロック図である。  
本発明の第５の実施形態にしたがったディジタル放送受信装置は、図１に示した構成と比較して、現在時刻を計時する計時部４３をさらに備え、図１で示した設定値メモリ２４に代えて、設定時間メモリ４８を備える。
【００７８】
このディジタル放送受信装置は、設定用の画面（図１４参照）にしたがって、新たな受信選局による視聴開始までの時間と受信チャンネルを設定しておき、この設定を行なった時点から、前述のように設定した時間が経過した場合に、新たな受信選局を行なった上で、その他の操作を行なうことなく、当該受信したチャンネルの通常の映像情報、および、この受信したチャンネルにかかるデータ放送用の情報をともにモニタ表示する機能を有する。
【００７９】
次に、本発明の第５の実施形態にしたがったディジタル放送受信装置の動作について説明する。  
このディジタル放送受信装置では、データ放送デコーダ７によるデータ放送用の信号のデコード処理の開始から終了までに要する時間は、最大３０秒間であるとする。
【００８０】
図１５は、本発明の第５の実施形態にしたがったディジタル放送受信装置による映像情報およびデータ放送用の情報の表示制御処理の一例を示すフローチャートである。  
まず、ユーザは、ディジタル放送受信装置の電源がオン状態にある際に、リモコン３０の各種キーの所定の操作を経て、新たな受信選局、および、映像情報とデータ放送用の情報をあわせた情報の表示を行なうまでの時間、および、新たに受信選局を行なうチャンネルの設定用画面Ｇ４（図１４参照）を表示部１１に表示させる。
【００８１】
この画面Ｇ４にしたがって、ユーザがリモコン３０のカーソルキー３３や数字キー３６などの操作を行なって、視聴開始までの時間および受信チャンネルを入力したのちにＯＫアイコン４９を選択することで、新たな受信選局、および、受信チャンネルの映像情報とデータ放送用の情報をあわせた情報を表示させるまでの時間を設定する（ステップＤ１）。
【００８２】
画面Ｇ４において、ＯＫアイコン４９が選択された場合には、制御部１は、画面Ｇ４で入力された時間および受信チャンネルのデータを設定時間メモリ４８に記憶させる制御を行ない、また、計時部４３で計時される時刻をもとに、ＯＫアイコン４９が選択されたタイミングからの経過時間のカウントを開始する（ステップＤ２）。
【００８３】
この設定は、ディジタル放送受信装置の電源がオン状態となっている場合にいつでも行なうことができ、設定時間メモリ４８に記憶されたデータは、ディジタル放送受信装置の電源をオフ状態とした場合でも保持される。
【００８４】
そして、制御部１は、ステップＤ２の処理でカウントを開始した経過時間のデータと、設定時間メモリ４８に記憶された時間のデータを比較して、ステップＤ１の処理による設定を行なってからの経過時間が、指定時間から３０秒を差引いた時間となったか否かを判別する（ステップＤ３）。
【００８５】
このステップＤ３の処理では、経過時間が指定時間から３０秒を差引いた時間となったか否かを判別しているが、これに限らず、指定時間より、データ放送用の信号のデコード処理に要する時間以上の時間を差引いた時間であれば、例えば経過時間が指定時間より１分間差引いた時間となったか否かを判別するようにしてもよい。
【００８６】
ステップＤ３の処理の結果、ステップＤ１の処理による設定を行なってからの経過時間が、指定時間から３０秒を差引いた時間となったと判別された場合（ステップＤ３のＹＥＳ）には、制御部１は、設定時間メモリ４８に記憶された受信チャンネルのデータを読み込み、前述のように読み込んだチャンネルの電波を選局するように制御する。これにより、分離部４による処理を介して、映像デコーダ５による映像情報のデコード（復号）、音声デコーダ６による音声情報のデコード、および、データ放送デコーダ７によるデータ放送用の情報のデコードを開始する（ステップＤ４）。
【００８７】
ステップＤ３の処理で「ＹＥＳ」と判別された際に、装置の電源がオフ状態である場合には、制御部１は、電源制御部２２により表示部１１および音声出力部１３を除く各機器に電源を供給した上で、設定時間メモリ４８に記憶された受信チャンネルのデータを読み込み、この読み込んだチャンネルの電波を選局する。
【００８８】
ステップＤ４の処理を行なって、ＴＶ映像信号、ＴＶ音声信号およびデータ放送用の信号のうち少なくとも一種のデコード処理が終了した場合でも、前述した指定時間が経過したと判別されるまで表示部１１による表示内容、および音声出力部１３による出力内容は変化しない。また、装置の電源がオフ状態にある場合には、ステップＤ４の処理によるデコード処理が終了した場合でも、前述した指定時間が経過したと制御部１が判別するまでは、表示部１１および音声出力部１３には電源が供給されない。
【００８９】
ステップＤ４の処理後、制御部１は、ステップＤ２の処理でカウントを開始した経過時間のデータと、設定時間メモリ４８に記憶された時間データを比較して、ステップＤ１の処理による設定を行なってからの経過時間が指定時間に達したか否かを判別する（ステップＤ５）。
【００９０】
ステップＤ５の処理の結果、経過時間が指定時間に達したと判別された場合（ステップＤ５のＹＥＳ）には、制御部１は、電源制御部２２が、表示部１１および音声出力部１３に電源を供給し、また、表示制御部１２が、映像デコーダ５からの信号およびデータ放送デコーダ７からの信号をともに表示部１１に出力して、かつ、音声デコーダ６からの信号を音声出力部１３に出力する処理を行なうように制御する（ステップＤ６）。
【００９１】
なお、ステップＤ５の処理で「ＹＥＳ」と判別された際に、装置の電源がオフ状態である場合には、制御部１は、電源制御部２２により表示部１１および音声出力部１３に電源を供給した上で、ステップＤ６の処理を行なう。
【００９２】
以上説明したように、本発明の第５の実施形態にしたがったディジタル放送受信装置では、新たな受信選局、および、この受信選局したチャンネルの映像情報およびデータ放送用の情報の表示を開始するまでの時間を予め指定した上で、この指定を行なったタイミングからの経過時間が、前述した指定時間より、データ放送用の信号のデコード処理開始から終了までに要する時間だけ少なくとも前の時間となった際に、映像デコーダ５からの信号とデータ放送デコーダ７からの信号のデコード処理を開始し、これらのデコード処理が終了し、かつ、指定時間が経過したと判別された際に映像情報とデータ放送用の情報をともに表示部１１により出力する制御を行なうので、ｄボタン３４の操作を行なうことなく、指定時間が経過した際に、デコード処理による待ち時間を解消した上で、受信チャンネルの映像情報と、当該受信チャンネルのデータ放送用の情報をともに表示部１１に表示させることができる。
【００９３】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９４】
【図１】本発明の第１の実施形態にしたがったディジタル放送受信装置の構成例を示すブロック図。
【図２】本発明の第１の実施形態にしたがったディジタル放送受信装置の操作を行なうためのリモコンの外観の一例を示す図。
【図３】本発明の第１の実施形態にしたがったディジタル放送受信装置による視聴開始時におけるデータ放送用の情報の表示の有無にかかる設定用画面の一例を示す図。
【図４】本発明の第１の実施形態にしたがったディジタル放送受信装置による映像情報およびデータ放送用の情報の表示制御処理の一例を示すフローチャート。
【図５】本発明の第２の実施形態にしたがったディジタル放送受信装置の構成例を示すブロック図。
【図６】本発明の第２の実施形態にしたがったディジタル放送受信装置による映像情報およびデータ放送用の情報の表示制御処理の一例を示すフローチャート。
【図７】本発明の第３の実施形態にしたがったディジタル放送受信装置の構成例を示すブロック図。
【図８】本発明の第３の実施形態にしたがったディジタル放送受信装置による視聴開始時におけるデータ放送用の情報の表示を行なう時間帯にかかる設定用画面の一例を示す図。
【図９】本発明の第３の実施形態にしたがったディジタル放送受信装置による映像情報およびデータ放送用の情報の表示制御処理の一例を示すフローチャート。
【図１０】本発明の第４の実施形態にしたがったディジタル放送受信装置の構成例を示すブロック図。
【図１１】本発明の第４の実施形態にしたがったディジタル放送受信装置による映像情報とデータ放送用の情報の表示開始時刻にかかる設定用画面の一例を示す図。
【図１２】本発明の第４の実施形態にしたがったディジタル放送受信装置による映像情報およびデータ放送用の情報の表示制御処理の一例を示すフローチャート。
【図１３】本発明の第５の実施形態にしたがったディジタル放送受信装置の構成例を示すブロック図。
【図１４】本発明の第５の実施形態にしたがったディジタル放送受信装置による映像情報とデータ放送用の情報の表示開始までの時間にかかる設定用画面の一例を示す図。
【図１５】本発明の第５の実施形態にしたがったディジタル放送受信装置による映像情報およびデータ放送用の情報の表示制御処理の一例を示すフローチャート。
【符号の説明】
【００９５】
１…制御部、２…ＴＶアンテナ、３…チューナ部、４…分離部（デマルチプレクサ）部、５…映像デコーダ、６…音声デコーダ、７…データ放送デコーダ、８…文字放送デコーダ、１１…表示部、１２…表示制御部、１３…音声再生部、２１…入力部、２２…電源制御部、２３…リモコン受信部、２４…設定値メモリ、３０…リモコン、３１…発信部、３２…電源キー、３３…カーソルキー、３４…「ｄ」キー（ｄボタン）、３５…「画面切替」キー、３６…数字キー、３７…メニューキー、３８…アップダウンキー、３９…カラーキー、４２…表示指示履歴メモリ、４３…計時部、４４…時間帯メモリ、４６…設定時刻メモリ、４８…設定時間メモリ。
【図１】
2006033633.tif 000003
【図２】
2006033633.tif 000004
【図３】
2006033633.tif 000005
【図４】
2006033633.tif 000006
【図５】
2006033633.tif 000007
【図６】
2006033633.tif 000008
【図７】
2006033633.tif 000009
【図８】
2006033633.tif 000010
【図９】
2006033633.tif 000011
【図１０】
2006033633.tif 000012
【図１１】
2006033633.tif 000013
【図１２】
2006033633.tif 000014
【図１３】
2006033633.tif 000015
【図１４】
2006033633.tif 000016
【図１５】
2006033633.tif 000017